(57)【特許請求の範囲】
【請求項１】
同一チャンネル内で弱階層サービスによる番組及び強階層サービスによる番組が存在するデジタル放送を受信するデジタル放送受信機において、
前記デジタル放送を受信するアンテナと、
前記アンテナに接続されており、所望のチャンネルに合致する受信周波数を設定して、そのチャンネルの放送信号を受信するチューナと、
前記チューナからの信号を入力し、ＯＦＤＭ復調するＯＦＤＭ復調部と、
前記ＯＦＤＭ復調部によりＯＦＤＭ復調された音声ストリームをデコードして音声信号を出力するオーディオデコーダと、
前記ＯＦＤＭ復調部によりＯＦＤＭ復調された映像ストリームをデコードして映像信号を出力するビデオデコーダと、
前記ＯＦＤＭ復調部によりＯＦＤＭ復調されたデータストリームから前記弱階層サービスによる番組の番組情報及び前記強階層サービスによる番組の番組情報を抽出するデータデコーダと、
受信状態に応じて前記弱階層サービスによる番組と前記強階層サービスによる番組とを自動的に切り替えて出力する制御部とを備え、
前記制御部は、前記弱階層サービスによる番組が出力されている場合に、前記弱階層サービスによる番組の受信状態が悪化したと判断したときに、受信状態が悪化する前の前記弱階層サービスの番組情報と前記強階層サービスの番組情報とが一致するか否かを調べ、両者が一致すると判断した場合には、前記強階層サービスによる番組の音声信号及び映像信号を出力し、両者が一致しないと判断した場合には、前記強階層サービスによる番組の音声信号、映像信号及び番組情報を出力する、
ことを特徴とするデジタル放送受信機。
【請求項２】
前記弱階層サービスによる番組の受信状態が悪化して前記強階層サービスによる番組が出力されている場合に、前記弱階層サービスによる番組の受信状態が良好になったと前記制御部が判断したときに、前記強階層サービスの番組情報と受信状態が良好になったときの前記弱階層サービスの番組情報とが一致するか否かを調べ、両者が一致すると判断した場合には、前記弱階層サービスによる番組の音声信号及び映像信号を出力し、両者が一致しないと判断した場合には、前記弱階層サービスによる番組の音声信号、映像信号及び番組情報を出力する、
ことを特徴とする請求項１記載のデジタル放送受信機。
【請求項３】
弱階層サービス番組と強階層サービス番組の出力階層切り替えを指示する操作部を備え、
ユーザが前記操作部を用いて手動で出力階層切り替えを指示した場合、前記制御部は、それまで出力中であった階層サービスによる番組の映像及び音声信号に替えて、それまで出力中でなかった階層サービスによる番組の音声信号、映像信号及び番組情報を出力する、
ことを特徴とする請求項２記載のデジタル放送受信機。
【請求項４】
前記制御部は、前記番組情報の表示を出力してから所定時間経過したことに応じて、前記番組情報の出力を終了する、
ことを特徴とする請求項３記載のデジタル放送受信機。
【請求項５】
前記番組情報は、チャンネル番号、番組名、ジャンル、放送時間、番組内容のうち、少なくとも一つを含む、
ことを特徴とする請求項４記載のデジタル放送受信機。
【請求項６】
前記番組情報の表示に係る設定をマニュアル設定する設定部を備え、前記設定部は、前記番組情報の表示位置、表示文字の大きさ、表示時間、表示内容のうち少なくとも一つを設定する、
ことを特徴とする請求項５記載のデジタル放送受信機。
【請求項７】
同一チャンネル内で弱階層サービスによる番組及び強階層サービスによる番組が存在するデジタル放送を受信するデジタル放送受信機の階層切り替え方法において、
前記弱階層サービスによる番組の音声信号及び映像信号が出力されているか否かを調べる第１ステップと、
前記第１ステップにて、前記弱階層サービスによる番組の音声信号及び映像信号が出力されている場合に、前記電波に含まれる前記弱階層サービスによる番組の番組情報及び前記強階層サービスによる番組の番組情報を取得する第２ステップと、
前記弱階層サービスによる番組の受信状態を調べる第３ステップと、
前記第３ステップにて前記弱階層サービスによる番組の受信状態が悪化したと判断された場合に、受信状態が悪化する前に前記第２ステップにて取得した前記弱階層サービスによる番組の番組情報と前記強階層サービスによる番組の番組情報とが一致するか否かを調べる第４ステップと、
前記第４ステップにて、両者が一致すると判断した場合には、前記強階層サービスによる番組の音声信号及び映像信号を自動的に出力し、両者が一致しないと判断した場合には、前記強階層サービスによる番組の音声信号、映像信号及び番組情報を自動的に出力する、第５ステップと、
を備えることを特徴とするデジタル放送受信機の階層切り替え方法。
【請求項８】
前記第５ステップにて、前記強階層サービスによる番組の音声信号及び映像信号が出力されている場合に、前記弱階層サービスによる番組の受信状態を調べる第６ステップと、
前記第６ステップにて前記弱階層サービスによる番組の受信状態が良好になったと判断された場合に、前記強階層サービスの番組情報と受信状態が良好になったときの前記弱階層サービスの番組情報とが一致するか否かを調べる第７ステップと、
前記第７ステップにて、両者が一致すると判断した場合には、前記弱階層サービスによる番組の音声信号及び映像信号を自動的に出力し、両者が一致しないと判断した場合には、前記弱階層サービスによる番組の音声信号、映像信号及び番組情報を自動的に出力する第８ステップと、
を備えることを特徴とする請求項７記載のデジタル放送受信機の階層切り替え方法。
【請求項９】
ユーザが操作部を用いて弱階層サービス番組と強階層サービス番組の出力階層切り替えを指示した場合、それまで出力中であった階層サービスによる番組の映像及び音声信号に替えて、それまで出力中でなかった階層サービスによる番組の音声信号、映像信号及び番組情報を出力する第９ステップと、
を備えることを特徴とする請求項８記載のデジタル放送受信機の階層切り替え方法。
【発明の詳細な説明】
【技術分野】
【０００１】
本発明は、デジタル放送受信機及びその階層切り替え方法に関し、特に同一のチャンネル内で強階層サービス及び弱階層サービスが存在するデジタル放送を受信するデジタル放送受信機及びその階層切り替え方法に関するものである。
【背景技術】
【０００２】
日本国内では、地上波テレビ放送のデジタル化が進められており、２０１１年には全
国でデジタル放送が実施され、アナログ波を停波する予定となっている。地上波デジタル放送では、１つのチャンネルを１３のセグメントに分割して放送されており、１３セグメントは最大３個の階層で構成されている。階層の呼称は、その階層が受信可能なＣ／Ｎ比（Carrier to Noise ratio：搬送波電力対雑音電力比）の高さにより、受信するのに最も低いＣ／Ｎ比を必要とする階層が強階層、次に高いＣ／Ｎ比を必要とする階層が中階層、最も低いＣ／Ｎ比を必要とする階層が弱階層と呼ばれている。地上波デジタル放送では、セグメント単位で異なる変調方式を設定でき、これにより複数の番組を同一帯域内で異なるビットレートや誤り耐性で伝送することが可能となる。従って、固定受信向けの弱階層サービスと移動受信向け及び携帯受信向けの強階層サービスとを同時に提供することができる。
【０００３】
そのため、デジタル放送では、マルチパス干渉に強い周波数分割多重方式の一つであるＯＦＤＭ（Orthogonal Frequency Division Multiplexing：直交周波数分割多重）を採用している。ＯＦＤＭは、周波数軸上に狭帯域の搬送波を複数並べ、各搬送波にデータを振り分けて伝送している。これにより、移動受信時にマルチパス干渉によって一部の搬送波の波形が乱れても、その周波数を使用して伝送するデータに誤りが発生するだけで、他の搬送波からのデータにより補正可能となる。
【０００４】
また、家庭向けのテレビ受信機等が高精細画質（例えばＨＤＴＶ：High Definition TV）の受信を実現するために、デジタル放送では、１３セグメントのうちの１２セグメントを高精細画質の受信に使用し、高速にデータを伝送することが可能な６４値ＱＡＭ等の変調方式を採用している。一方、移動受信機や携帯受信機等の小型のアンテナし装備できない受信機に対しては、安定した受信を実現するため簡易画質による放送を行い、１３セグメントのうちの１セグメントを使用して、ＱＰＳＫ等の変調方式を採用している。ここで、１２セグメントを使用して受信する場合には、弱階層の高いＣ／Ｎ比を必要とし、１セグメントを使用して受信する場合には、強階層の低いＣ／Ｎ比を必要とする。
【０００５】
また、デジタル放送では、１つの電波帯、換言すると１つのチャンネルにおいて、高精細画質の放送を行う代わりに、標準画質（例えばＳＤＴＶ：Standard Definition TV）の３つのチャンネル分の放送を行うことができる。放送局では、時間帯により、高精細画質の１チャンネルの放送と標準画質の３チャンネルの放送（マルチ編成）とを切り替えて放送することができる。
【０００６】
ところで、移動受信機や携帯受信機等の受信機でも、ダイバーシティ受信技術を用いる
ことで、１２セグメントの放送による弱階層サービスのコンテンツ受信と１セグメントの放送による強階層サービスによるコンテンツ受信とが可能となる。
【０００７】
このようなデジタル放送受信機の従来技術として、同一チャンネル内で２階層サービスが存在するデジタル放送において、階層サービスの受信状態に応じて、弱階層サービスによる番組と強階層サービスによる番組とを自動的に切り替えるデジタル放送受信機が開示されている（特許文献１参照）。
【特許文献１】特開２００４−１６６１７３号公報
【０００８】
また、従来のデジタル放送受信機において、階層サービスが切り替わった際に、切り替え先の階層サービスによる番組の番組情報（チャンネル番号、番組名等）を映像信号に重畳して所定時間表示することがユーザ設定により可能となっており、これにより、階層サービスが切り替わった際に、ユーザにどのような番組に切り替わったかを容易に認識させることができるようになっている。
【発明の開示】
【発明が解決しようとする課題】
【０００９】
しかしながら、上記デジタル放送受信機では、ユーザが階層サービスの切り替わりに応じて番組情報を表示する設定をしていた場合、サイマル放送（弱階層サービスと強階層サービスで同一の番組を放送）であるかどうかに係わらず、階層サービスの切り替わる度に番組情報を表示していた。そのため、階層サービスを切り替えたとき、サイマル放送である場合には、番組情報を表示することがユーザにとって目障りな情報となっていた。
【００１０】
本発明の目的は、弱階層サービスによる番組の受信状態に応じて、弱階層サービスによる番組と強階層サービスによる番組とを自動的に切り替える際、ユーザにストレスをかけずにどのような番組に切り替わったかを容易に認識させることができるデジタル放送受信機及びその階層切り替え方法を提供することである。
【課題を解決するための手段】
【００１１】
・デジタル放送受信機
本発明は、同一チャンネル内で弱階層サービスによる番組及び強階層サービスによる番組が存在するデジタル放送を受信するデジタル放送受信機であり、前記デジタル放送を受信するアンテナと、前記アンテナに接続されており、所望のチャンネルに合致する受信周波数を設定して、そのチャンネルの放送信号を受信するチューナと、前記チューナからの信号を入力し、ＯＦＤＭ復調するＯＦＤＭ復調部と、前記ＯＦＤＭ復調部によりＯＦＤＭ復調された音声ストリームをデコードして音声信号を出力するオーディオデコーダと、前記ＯＦＤＭ復調部によりＯＦＤＭ復調された映像ストリームをデコードして映像信号を出力するビデオデコーダと、前記ＯＦＤＭ復調部によりＯＦＤＭ復調されたデータストリームから前記弱階層サービスによる番組の番組情報及び前記強階層サービスによる番組の番組情報を抽出するデータデコーダと、受信状態に応じて前記弱階層サービスによる番組と前記強階層サービスによる番組とを自動的に切り替えて出力する制御部とを備え、前記制御部は、前記弱階層サービスによる番組が出力されている場合に、前記弱階層サービスによる番組の受信状態が悪化したと判断したときに、受信状態が悪化する前の前記弱階層サービスの番組情報と前記強階層サービスの番組情報とが一致するか否かを調べ、両者が一致すると判断した場合には、前記強階層サービスによる番組の音声信号及び映像信号を出力し、両者が一致しないと判断した場合には、前記強階層サービスによる番組の音声信号、映像信号及び番組情報を出力する。
【００１２】
上記デジタル放送受信機は、前記弱階層サービスによる番組の受信状態が悪化して前記強階層サービスによる番組が出力されている場合に、前記弱階層サービスによる番組の受信状態が良好になったと前記制御部が判断したときに、前記強階層サービスの番組情報と受信状態が良好になったときの前記弱階層サービスの番組情報とが一致するか否かを調べ、両者が一致すると判断した場合には、前記弱階層サービスによる番組の音声信号及び映像信号を出力し、両者が一致しないと判断した場合には、前記弱階層サービスによる番組の音声信号、映像信号及び番組情報を出力する。
【００１３】
上記デジタル放送受信機は、弱階層サービス番組と強階層サービス番組の出力階層切り替えを指示する操作部を備え、ユーザが前記操作部を用いて手動で出力階層切り替えを指示した場合、前記制御部は、それまで出力中であった階層サービスによる番組の映像及び音声信号に替えて、それまで出力中でなかった階層サービスによる番組の音声信号、映像信号及び番組情報を出力する。
【００１４】
前記制御部は、前記番組情報の表示を出力してから所定時間経過したことに応じて、前記番組情報の出力を終了する。
【００１５】
前記番組情報は、チャンネル番号、番組名、番組内容のうち、少なくとも一つを含み、前記番組情報の表示位置、表示文字の大きさ、表示時間、表示内容のうち少なくとも一つを設定する設定部を備えている。
【００１６】
・階層切り替え方法
本発明は、同一チャンネル内で弱階層サービスによる番組及び強階層サービスによる番組が存在するデジタル放送を受信するデジタル放送受信機の階層切り替え方法であり、前記弱階層サービスによる番組の音声信号及び映像信号が出力されているか否かを調べる第１ステップと、前記第１ステップにて、前記弱階層サービスによる番組の音声信号及び映像信号が出力されている場合に、前記電波に含まれる前記弱階層サービスによる番組の番組情報及び前記強階層サービスによる番組の番組情報を取得する第２ステップと、前記弱階層サービスによる番組の受信状態を調べる第３ステップと、前記第３ステップにて前記弱階層サービスによる番組の受信状態が悪化したと判断された場合に、受信状態が悪化する前に前記第２ステップにて取得した前記弱階層サービスによる番組の番組情報と前記強階層サービスによる番組の番組情報とが一致するか否かを調べる第４ステップと、前記第４ステップにて、両者が一致すると判断した場合には、前記強階層サービスによる番組の音声信号及び映像信号を自動的に出力し、両者が一致しないと判断した場合には、前記強階層サービスによる番組の音声信号、映像信号及び番組情報を自動的に出力する、第５ステップとを備えている。
【００１７】
上記階層切り替え方法は、前記第５ステップにて、前記強階層サービスによる番組の音声信号及び映像信号が出力されている場合に、前記弱階層サービスによる番組の受信状態を調べる第６ステップと、前記第６ステップにて前記弱階層サービスによる番組の受信状態が良好になったと判断された場合に、前記強階層サービスの番組情報と受信状態が良好になったときの前記弱階層サービスの番組情報とが一致するか否かを調べる第７ステップと、前記第７ステップにて、両者が一致すると判断した場合には、前記弱階層サービスによる番組の音声信号及び映像信号を自動的に出力し、両者が一致しないと判断した場合には、前記弱階層サービスによる番組の音声信号、映像信号及び番組情報を自動的に出力する第８ステップとを備えている。
【００１８】
上記階層切り替え方法は、ユーザが操作部を用いて弱階層サービス番組と強階層サービス番組の出力階層切り替えを指示した場合、それまで出力中であった階層サービスによる番組の映像及び音声信号に替えて、それまで出力中でなかった階層サービスによる番組の音声信号、映像信号及び番組情報を出力する第９ステップとを備えている。
【発明の効果】
【００１９】
本発明によれば、弱階層サービスによる番組の受信状態に応じて、弱階層サービスによる番組と強階層サービスによる番組とを自動的に切り替える際、弱階層サービスによる番組と強階層サービスによる番組の番組情報を比較して、同一番組に切り替える場合には、番組情報を表示しないように構成したため、ユーザはストレスのない視聴を行うことができる。
【００２０】
また、本発明によれば、ユーザが手動で階層切り替え操作を行った場合には、階層サービスを切り替えるとともに、映像信号と重畳して番組情報を表示するように構成したため、ユーザに、どのような番組に切り替わったかを容易に認識させることができ、かつ操作が実行されたかを確認することができる。
【発明を実施するための最良の形態】
【００２１】
以下、本発明による実施形態を図面に基づいて説明する。図１は、本実施形態による地上波デジタル放送受信機の構成例を示すブロック図である。図１において、１は第１アンテナであり、２は第２アンテナである。第１アンテナ１及び第２アンテナ２は、デジタル放送の電波を受信する。
【００２２】
３は第１チューナであり、第１アンテナ１に接続されており、第１アンテナ１によって受信したデジタル放送の電波から所望のチャンネルに合致した受信周波数の信号を選択的に抽出して出力する。また、４は第２チューナであり、第２アンテナ２に接続されており、第２アンテナ２によって受信したデジタル放送の電波から所望のチャンネルに合致した受信周波数の信号を選択的に抽出して出力する。
【００２３】
５は第１ＯＦＤＭ復調部であり、第１チューナ３で受信した信号をＯＦＤＭ復調してトランスポートストリーム（Transport Stream：以下ＴＳと記述する）を得る。６は第２ＯＦＤＭ復調部であり、第２チューナ４で受信した信号をＯＦＤＭ復調してＴＳを得る。７はダイバーシティ合成部であり、第１ＯＦＤＭ復調部５から入力するＴＳの位相を制御する位相器７ａと、位相を制御されたＴＳと第２ＯＦＤＭ復調部６から入力するＴＳとを合成する合成器７ｂとにより構成されている。
【００２４】
このように、第１アンテナ１、第２アンテナ２、第１チューナ３、第２チューナ４、第１ＯＦＤＭ復調部５、第２ＯＦＤＭ復調部６を備え、第１ＯＦＤＭ復調部５及び第２ＯＦＤＭ復調部６から出力されたＴＳをダイバーシティ合成部７によりダイバーシティ合成することで、受信性能を向上させて、高精細画質のデジタル放送のコンテンツを受信することが可能となる。
【００２５】
８は誤り訂正部であり、伝送中に生じる誤りを訂正するためのものである。ここで、誤り訂正部８では、誤り訂正率を算出することが可能であり、この誤り訂正率が所定の値（例えば５０％）を超えた場合に、受信状態が悪化したことを示す情報を後述する制御部１３に出力するようにしている。
【００２６】
９はデマルチプレクサ部であり、多重化されているＴＳを分離して弱階層の映像ストリーム、弱階層の音声ストリーム、弱階層のデータストリーム、強階層の映像ストリーム、強階層の音声ストリーム、強階層のデータストリームを得る。そして、デマルチプレクサ部９は、弱階層のデータストリーム及び強階層のデータストリームを後述するデータデコーダ部１２に出力する。また、デマルチプレクサ部９は、弱階層の音声ストリーム又は強階層の音声ストリームを階層選択信号に応じて後述するオーディオデコーダ部１０に出力する。また、デマルチプレクサ部９は、弱階層の映像ストリーム又は強階層の映像ストリームを階層選択信号に応じて後述するビデオデコーダ部１２に出力する。
【００２７】
ここで、データストリームには、データ放送用の情報ストリーム、特にＥＩＴ（Event Information Table）が含まれている。ＥＩＴには、番組の名称、放送日時、内容の説明などの番組に関する情報が含まれており、番組を識別するための情報であるevent_idにより番組を特定することが可能である。
【００２８】
オーディオデコーダ部１０は、入力した音声ストリームをデコードして音声信号として出力し、この音声信号はスピーカ１１で出力される。ビデオデコーダ部１２は、入力した映像ストリームをデコードして映像信号として出力し、この映像信号は表示部１３で表示される。データデコーダ部１４は、入力したデータストリームをデコードして制御部１５に出力する。
【００２９】
制御部１５は、リモートコントローラ等（図示せず）の操作部１８によって入力される制御信号により、第１チューナ３及び第２チューナ４が受信するチャンネルを決定し、このチャンネルに合致する受信周波数を設定する。また、制御部１５は、誤り訂正部８から受信状態が悪化したことを示す情報を入力して受信状態の悪化を判断する。また、制御部１３は、データデコーダ部１４からデータ放送用の情報ストリームを入力される。
【００３０】
制御部１５は、誤り訂正部８から受信状態が悪化したことを示す情報を入力すると、受信状態が悪化する前にデータデコーダ部１４から取得したデータ放送用の情報ストリームを参照する。そして、制御部１５は、データデコーダ部１４から入力した情報ストリームに含まれるＥＩＴ中のevent_idを比較して、弱階層サービスの番組のevent_idと強階層サービスの番組のevent_idが同一であるか否かを調べる。
【００３１】
制御部１５にて、両者のevent_idが同一であると判断された場合には、制御部１５は、弱階層サービスから強階層サービスへと切り替えを行う階層選択信号をデマルチプレクサ部９に出力する。一方、制御部１５にて、両者のevent_idが異なると判断された場合には、制御部１５は、弱階層サービスから強階層サービスへと切り替えを行う階層選択信号をデマルチプレクサ部９に出力すると共に、ＥＩＴにより特定される強階層サービスの番組に関する情報（チャンネル番号、番組名、ジャンル、放送時間、番組内容等）を番組情報画像生成部１６へ出力する。番組情報画像生成部１６は、制御部１５より入力された番組情報に基づいて映像ストリームに重畳表示するための番組情報画像を生成し、ビデオデコーダ部１２に出力する。ビデオデコーダ部１２は、強階層の映像ストリームと番組情報画像を重畳して表示部１３に出力する。
【００３２】
また、制御部１５は、操作部１８から番組情報表示に関する設定変更が指示された場合、番組情報表示設定画像を生成するように表示設定画像生成部１５に指示する。この指示により、表示設定画像生成部１５は、図２に示すような番組情報の表示位置、表示文字の大きさ、表示時間、表示内容を設定変更するための番組情報表示設定画像を生成して表示部１３に出力する。ユーザは、表示部１３で表示される番組情報表示設定画像を参照して、操作部１８から選択カーソル１００を上下左右に移動し、選択カーソル１００を所望の項目にあわせ、決定を指示することにより、所望の項目に設定変更することができる。なお、このとき、選択決定された項目は網掛け表示される。
【００３３】
次に、本実施形態によるデジタル放送受信機の動作及び階層切り替え方法について説明する。図３は、本実施形態によるデジタル放送受信機の動作及び階層切り替え方法を示すフローチャートである。また、図４は、弱階層サービスによる番組の受信状態が悪化した場合に出力される映像の切り替えの例を示す図であり、図５は、弱階層サービスによる番組の受信状態が良好になった場合に出力される映像の切り替えの例を示す図である。
【００３４】
まず、制御部１５は、弱階層サービスにより番組が提供されているか否か、換言すると、弱階層サービスによる番組の音声信号及び映像信号がオーディオデコーダ部１０及びビデオデコーダ部１２より出力されているかを調べる（ステップＳ１）。制御部１５にて、弱階層サービスにより番組が提供されていないと判断された場合には、ステップＳ１の処理を繰り返す。
【００３５】
一方、図４（Ａ）に示すように、制御部１５にて、弱階層サービスにより番組Ａが提供されていると判断された場合には、制御部１５は、弱階層サービスによる番組Ａの受信状態が悪化したか否かを調べる（ステップＳ３）。具体的には、制御部１５は、誤り訂正部８から受信状態が悪化したことを示す情報を入力したか否かを調べることにより受信状態を判断する。ここで、誤り訂正部８は、ダイバーシティ合成部７によりダイバーシティ合成されたＴＳに対して伝送中に生じる誤りを訂正すると共に、誤り訂正率を算出し、誤り訂正率が所定の値を超えたときに、受信状態が悪化したことを示す情報を制御部１５へ出力する。
【００３６】
制御部１５は、誤り訂正部８から受信状態が悪化したことを示す情報を入力しなかった場合には、ステップＳ３の処理を繰り返す。一方、誤り訂正部８から受信状態が悪化したことを示す情報を入力した場合には、制御部１５は、受信状態が悪化する前にデータデコーダ部１４から取得したデータ放送用の情報ストリームを参照する。そして、制御部１５は、データデコーダ部１４から入力された情報ストリームに含まれるＥＩＴ中のevent_idを比較して、弱階層サービスの番組のevent_idと強階層サービスの番組のevent_idとが同一であるか否かを調べる（ステップＳ５）。
【００３７】
制御部１５にて、両者のevent_idが同一であると判断された場合には、制御部１５は、弱階層サービスから強階層サービスへと切り替えを行う階層選択信号をデマルチプレクサ部９に出力して弱階層サービスから強階層サービスへと切り替えを行い、強階層サービスの番組の音声ストリーム及び映像ストリームをそれぞれオーディオデコーダ１０及びビデオデコーダ１２に出力する。そして、オーディオデコーダ１０は音声ストリームを音声信号としてスピーカ１１に出力し、スピーカ１１はこの音声信号を出力する。ビデオデコーダ１２は映像ストリームを映像信号として表示部１３に出力し、表示部１３はこの映像信号を表示する（ステップＳ７）。これにより、表示部１３には、図４（Ｂ）に示すような強階層の番組映像のみ表示される。
【００３８】
一方、制御部１５にて、両者のevent_idが異なると判断された場合（強階層サービスが番組Bである場合）には、制御部１５は、弱階層サービスから強階層サービスへと切り替えを行う階層選択信号をデマルチプレクサ部９に出力して弱階層サービスから強階層サービスへと切り替えを行い、強階層サービスの番組の音声ストリーム及び映像ストリームをそれぞれオーディオデコーダ１０及びビデオデコーダ１２に出力する。更に制御部１５は、データデコーダ１４より入力された強階層サービスの番組情報（例えば番組名や放送時間、チャンネル名等）を番組情報画像生成部１６に入力する。番組情報画像生成部１６は、制御部１５より入力された番組情報に基づいて映像ストリームに重畳表示するための番組情報画像を生成し、ビデオデコーダ部１２に出力する。ビデオデコーダ部１２は、デマルチプレクサ９より入力される強階層の映像ストリームと番組情報画像生成部１６により入力される番組情報画像を重畳して表示部１３に出力し、表示部１３はこの映像信号を表示する。また、オーディオデコーダ１０は音声ストリームを音声信号としてスピーカ１１に出力し、スピーカ１１はこの音声信号を出力する（ステップＳ９）。これにより、表示部１３には、図４（Ｃ）に示すような強階層の番組映像及び番組情報が表示される。なお、このとき、番組情報の表示位置、表示文字の大きさ、表示時間、表示内容については、前述した番組情報表示設定にて設定されたデータに基づいて、表示制御される。
【００３９】
次に、図５（Ａ）に示すような強階層サービスによる番組Ａが出力されている状態において、制御部１５は、元々受信されていた弱階層サービスによる番組Ａの受信状態が良好になったか否かを調べる（ステップＳ１１）。弱階層サービスによる番組Ａの受信状態が良好にならない場合には、ステップＳ１１の処理を繰り返す。
【００４０】
一方、弱階層サービスによる番組Ａの受信状態が良好になった場合には、制御部１５は、データデコーダ部１２から取得したデータ放送用の情報ストリームを参照し、情報ストリームに含まれるＥＩＴ中のevent_idを比較して、弱階層サービスの番組のevent_idと強階層サービスの番組のevent_idとが同一であるか否かを調べる（ステップＳ１３）。
【００４１】
制御部１５にて、弱階層サービスの番組のevent_idと強階層サービスの番組のevent_id
とが同一であると判断された場合（強階層サービスが番組Ａであり、弱階層サービスが番組Aである場合）には、制御部１５は、強階層サービスから弱階層サービスへと切り替えを行う階層選択信号をデマルチプレクサ部９に出力して強階層サービスから弱階層サービスへと切り替えを行い、弱階層サービスの番組の音声ストリーム及び映像ストリームをそれぞれオーディオデコーダ１０及びビデオデコーダ１２に出力する。そして、オーディオデコーダ１０は音声ストリームを音声信号としてスピーカ１１に出力し、スピーカ１１はこの音声信号を出力する。ビデオデコーダ１２は映像ストリームを映像信号として表示部１３に出力し、表示部１３はこの映像信号を表示する（ステップＳ１５）。これにより、表示部１３には、図５（Ｂ）に示すような弱階層の番組映像のみ表示される。
【００４２】
一方、制御部１５にて、両者のevent_idが異なると判断された場合（強階層サービスが番組Ａであり、弱階層サービスが番組Ｂである場合）には、制御部１５は、強階層サービスから弱階層サービスへと切り替えを行う階層選択信号をデマルチプレクサ部９に出力して強階層サービスから弱階層サービスへと切り替えを行い、弱階層サービスの番組の音声ストリーム及び映像ストリームをそれぞれオーディオデコーダ１０及びビデオデコーダ１２に出力する。更に制御部１５は、データデコーダ１４より入力された弱階層サービスの番組情報（例えば番組名や放送時間、チャンネル名等）を番組情報画像生成部１６に入力する。番組情報画像生成部１６は、制御部１５より入力された番組情報に基づいて映像ストリームに重畳表示するための番組情報画像を生成し、ビデオデコーダ部１２に出力する。ビデオデコーダ部１２は、デマルチプレクサ９より入力される弱階層の映像ストリームと番組情報画像生成部１６により入力される番組情報画像を重畳して表示部１３に出力し、表示部１３はこの映像信号を表示する。また、オーディオデコーダ１０は音声ストリームを音声信号としてスピーカ１１に出力し、スピーカ１１はこの音声信号を出力する（ステップＳ１７）。これにより、表示部１３には、図５（Ｃ）に示すような弱階層の番組映像及び番組情報が表示される。なお、このとき、番組情報の表示位置、表示文字の大きさ、表示時間、表示内容については、前述した番組情報表示設定にて設定されたデータに基づいて、表示制御される。
【００４３】
なお、制御部１５は、上記処理中に、ユーザが操作部１８を用いて手動でチャンネル変更または階層サービス変更が行ったかどうかを常時監視し、ユーザが操作部１８からチャンネル変更または階層サービス変更が行った場合、番組間のevent_idの変更に関係なく、切り替え先の番組映像と共に、切り替え先の番組に関する番組情報を番組情報表示設定にて設定されたデータに基づいて、表示制御される。
【００４４】
以上詳しく説明したように、本実施形態によれば、弱階層サービスによる番組を出力し
ている場合に、弱階層サービス及び強階層サービスの双方について、デジタル放送の受信信号を復調して得られるデータストリームにより番組情報を取得しておき、弱階層サービスの受信状態が悪化した場合に、直前の弱階層サービスの番組情報と強階層サービスの番組情報とが一致しないときのみ、サービス切り替え後に番組情報を表示するように制御した。これにより、弱階層サービスによる番組と強階層サービスによる番組とを自動的に切り替える際、弱階層サービスによる番組と強階層サービスによる番組の番組情報を比較して、同一番組に切り替える場合には、番組情報を表示しないように構成したため、ユーザはストレスのない視聴を行うことができる。
【００４５】
また、本実施形態によれば、ユーザが手動で階層切り替え操作を行った場合には、階層サービスを切り替えるとともに、映像信号と重畳して番組情報を表示するように構成したため、ユーザに、どのような番組に切り替わったかを容易に認識させることができ、かつ操作が実行されたかを確認することができる。
【００４６】
なお、本実施形態において、受信状態の悪化を誤り訂正部８の誤り訂正率により判断しているが、これに限定されない。例えば、第１チューナ３および第２チューナ４の受信レベルを検出して判断するようにしても良い。
【００４７】
次に、本実施形態によるデジタル放送受信機の変形例の動作及び階層切り替え方法の変形例について説明する。図６は、本実施形態による地上波デジタル放受信機の変形例の動作及び階層切り替え方法の変形例を示すフローチャートである。図７は、弱階層サービスによる受信状態が良好になった場合に出力される映像の切り替えの他の変形例を示す図である。
【００４８】
まず、制御部１５は、弱階層サービスにより番組が提供されているか否か、換言すると、弱階層サービスによる番組の音声信号及び映像信号がオーディオデコーダ部１０及びビデオデコーダ部１２より出力されているかを調べる（ステップＳ２１）。制御部１５にて、弱階層サービスにより番組が提供されていないと判断された場合には、ステップＳ２１の処理を繰り返す。
【００４９】
一方、制御部１５にて、弱階層サービスにより番組Ａ（図７（Ａ））が提供されていると判断された場合には、制御部１５は、弱階層サービスによる番組Ａの受信状態が悪化したか否かを調べる（ステップＳ２３）。具体的には、制御部１５は、誤り訂正部８から受信状態が悪化したことを示す情報を入力したか否かを調べることにより受信状態を判断する。ここで、誤り訂正部８は、ダイバーシティ合成部７によりダイバーシティ合成されたＴＳに対して伝送中に生じる誤りを訂正すると共に、誤り訂正率を算出し、誤り訂正率が所定の値を超えたときに、受信状態が悪化したことを示す情報を制御部１５へ出力する。
【００５０】
制御部１５は、誤り訂正部８から受信状態が悪化したことを示す情報を入力しなかった
場合には、ステップＳ２３の処理を繰り返す。一方、誤り訂正部８から受信状態が悪化したことを示す情報を入力した場合には、制御部１５は、受信状態が悪化する前にデータデコーダ部１４から取得したデータ放送用の情報ストリームを参照する。そして、制御部１５は、データデコーダ部１４から入力される情報ストリームに含まれるＥＩＴ中のevent_idを比較して、弱階層サービスの番組のevent_idと強階層サービスの番組のevent_idとが同一であるか否かを調べる（ステップＳ２５）。
【００５１】
制御部１５にて、両者のevent_idが同一であると判断された場合には、制御部１５は、弱階層サービスから強階層サービスへと切り替えを行う階層選択信号をデマルチプレクサ部９に出力して弱階層サービスから強階層サービスへと切り替えを行い、強階層サービスの番組の音声ストリーム及び映像ストリームをそれぞれオーディオデコーダ１０及びビデオデコーダ１２に出力する。そして、オーディオデコーダ１０は音声ストリームを音声信号としてスピーカ１１に出力し、スピーカ１１はこの音声信号を出力する。ビデオデコーダ１２は映像ストリームを映像信号として表示部１３に出力し、表示部１３はこの映像信号を表示する（ステップＳ２７）。これにより、表示部１３には、図７（Ｂ）に示すような強階層の番組映像のみ表示される。
【００５２】
一方、制御部１５にて、両者のevent_idが異なると判断された場合（強階層サービスが番組Bである場合）には、制御部１５は、弱階層サービスから強階層サービスへと切り替えを行う階層選択信号をデマルチプレクサ部９に出力して弱階層サービスから強階層サービスへと切り替えを行い、強階層サービスの番組の音声ストリーム及び映像ストリームをそれぞれオーディオデコーダ１０及びビデオデコーダ１２に出力する。更に制御部１５は、データデコーダ１４より入力された強階層サービスの番組情報（例えば番組名や放送時間、チャンネル名等）を番組情報画像生成部１６に入力する。番組情報画像生成部１６は、制御部１５より入力された番組情報に基づいて映像ストリームに重畳表示するための番組情報画像を生成し、ビデオデコーダ部１２に出力する。ビデオデコーダ部１２は、デマルチプレクサ９より入力される強階層の映像ストリームと番組情報画像生成部１６により入力される番組情報画像を重畳して表示部１３に出力し、表示部１３はこの映像信号を表示する。また、オーディオデコーダ１０は音声ストリームを音声信号としてスピーカ１１に出力し、スピーカ１１はこの音声信号を出力する（ステップＳ２９）。なお、このとき、番組情報の表示位置、表示文字の大きさ、表示時間、表示内容については、前述した番組情報表示設定にて設定されたデータに基づいて、表示制御される。
【００５３】
次に、強階層サービスによる番組Ａ（図７（Ｂ））が出力されている状態において、制御部１５は、元々受信されていた弱階層サービスの受信状態が良好になったか否かを調べる（ステップＳ３１）。弱階層サービスの受信状態が良好にならない場合には、ステップＳ３１の処理を繰り返す。
【００５４】
一方、弱階層サービスの受信状態が良好になった場合には、制御部１５は、データデコーダ部１４から取得したデータ放送用の情報ストリームを参照し、ＥＩＴにより特定される強階層サービスの番組に関する情報（チャンネル番号、番組名、ジャンル、放送時間、番組内容等）及びＥＩＴにより特定される弱階層サービスの複数の番組に関する情報（チャンネル番号、番組名、ジャンル、放送時間、番組内容等）を抽出する。そして、抽出した情報に基づいて、番組表及び番組表の中から一つの番組を選択するための番組の選択枠を生成するためのメニュー情報を生成し、番組情報画像生成部１６に出力する。番組情報画像生成部１６では、制御部１５から入力したメニュー情報に基づいて、番組表及び番組の選択枠を生成し（図７（Ｃ））、ビデオデコーダ部１２を介して表示部１３に出力する（ステップＳ３３）。
【００５５】
そして、制御部１５では、強階層サービスに番組と同一のevent_IDを有する弱階層サービス番組が選択されたかを判断する（ステップＳ３５）。制御部１５にて、強階層サービスに番組と同一のevent_IDを有する弱階層サービス番組が選択されたと判断された場合（強階層サービスが番組Ａであり、弱階層サービスの番組Ａを選択された場合）には、制御部１５は、強階層サービスから弱階層サービスへと切り替えを行う階層選択信号をデマルチプレクサ部９に出力して強階層サービスから弱階層サービスへと切り替えを行い、弱階層サービスの番組の音声ストリーム及び映像ストリームをそれぞれオーディオデコーダ１０及びビデオデコーダ１２に出力する。そして、オーディオデコーダ１０は音声ストリームを音声信号としてスピーカ１１に出力し、スピーカ１１はこの音声信号を出力する。ビデオデコーダ１２は映像ストリームを映像信号として表示部１３に出力し、表示部１３はこの映像信号を表示する（ステップＳ３７）。これにより、表示部１３には、図７（Ｄ）に示すような弱階層の番組映像のみ表示される。
【００５６】
一方、制御部１５にて、強階層サービスに番組と同一のevent_IDを有さない弱階層サービス番組が選択されたと判断された場合（強階層サービスが番組Ａであり、弱階層サービスの番組Ｂを選択された場合）には、制御部１５は、強階層サービスから弱階層サービスへと切り替えを行う階層選択信号をデマルチプレクサ部９に出力して強階層サービスから弱階層サービスへと切り替えを行い、弱階層サービスの番組の音声ストリーム及び映像ストリームをそれぞれオーディオデコーダ１０及びビデオデコーダ１２に出力する。更に制御部１５は、データデコーダ１４より入力された弱階層サービスの番組情報（例えば番組名や放送時間、チャンネル名等）を番組情報画像生成部１６に入力する。番組情報画像生成部１６は、制御部１５より入力された番組情報に基づいて映像ストリームに重畳表示するための番組情報画像を生成し、ビデオデコーダ部１２に出力する。ビデオデコーダ部１２は、デマルチプレクサ９より入力される弱階層の映像ストリームと番組情報画像生成部１６により入力される番組情報画像を重畳して表示部１３に出力し、表示部１３はこの映像信号を表示する。また、オーディオデコーダ１０は音声ストリームを音声信号としてスピーカ１１に出力し、スピーカ１１はこの音声信号を出力する（ステップＳ３９）。これにより、表示部１３には、図７（Ｅ）に示すような弱階層の番組映像及び番組情報が表示される。なお、このとき、番組情報の表示位置、表示文字の大きさ、表示時間、表示内容については、前述した番組情報表示設定にて設定されたデータに基づいて、表示制御される。
【００５７】
なお、制御部１５は、上記処理中に、ユーザが操作部１８を用いて手動でチャンネル変更または階層サービス変更が行ったかどうかを常時監視し、ユーザが操作部１８からチャンネル変更または階層サービス変更が行った場合、番組間のevent_idの変更に関係なく、切り替え先の番組映像と共に、切り替え先の番組に関する番組情報を番組情報表示設定にて設定されたデータに基づいて、表示制御される。
【００５８】
上記処理によれば、強階層サービスによる番組から弱階層サービスによる番組に自動的に切り替える際、弱階層サービスによる番組が複数存在する場合には、弱階層サービスのよる番組表を表示させ、ユーザが強階層サービスによる番組の番組情報と同一番組を番組表から選択した場合、番組情報を表示しないように構成したため、ユーザはストレスのない視聴を行うことができる。
【００５９】
その他、デジタル放送受信機の構成や制御手順等についても、特許請求の範囲に記載された本発明の要旨の範囲内において、種々の変形・変更が可能である。
【図面の簡単な説明】
【００６０】
【図１】本実施形態によるデジタル放送受信機の構成例を示すブロック図である。
【図２】番組情報表示設定画面を示す図である。
【図３】本実施形態によるデジタル放送受信機の動作及び階層切り替え方法を示すフローチャートである。
【図４】本実施形態によるデジタル放送受信機の弱階層サービスによる受信状態が悪化した場合に出力される映像の切り替えの例を示す図である。
【図５】本実施形態によるデジタル放送受信機の弱階層サービスによる受信状態が良好になった場合に出力される映像の切り替えの例を示す図である。
【図６】本実施形態によるデジタル放送受信機の変形例の動作及び階層切り替え方法の変形例を示すフローチャートである。
【図７】本実施形態によるデジタル放送受信機の弱階層サービスによる受信状態が良好になった場合に出力される映像の切り替えの他の変形例を示す図である。
【符号の説明】
【００６１】
１    第１アンテナ
２    第２アンテナ
３    第１チューナ
４    第２チューナ
５    第１ＯＦＤＭ復調部
６    第２ＯＦＤＭ復調部
７    ダイバーシティ合成部
８    誤り訂正部
９    デマルチプレクサ
１０    オーディオデコーダ
１１    ビデオデコーダ
１４    データデコーダ
１５    制御部
１６    メニュー画像生成部
１７    表示設定画像生成部
１８    操作部
【図１】
0005131757.tif 000002
【図２】
0005131757.tif 000003
【図３】
0005131757.tif 000004
【図４】
0005131757.tif 000005
【図５】
0005131757.tif 000006
【図６】
0005131757.tif 000007
【図７】
0005131757.tif 000008